(57)【要約】【課題】  本発明は、再生中の画像信号について、簡易にその表示形式を変更することが可能な映像表示装置を提供する。【解決手段】  本発明に係る映像表示装置は、複数の映像形態が予め２種類の表示形式である１６対９のアスペクト比を有するスクリーンサイズあるいは４対３のアスペクト比を有するスクリーンサイズのうちのいずれか一方に対応付けられている。したがって、ユーザの１６対９信号あるいは４対３の画像信号を含む映像形態の選択に伴い表示形式も対応付けられた表示形式に変更されるため１回の選択動作で再生中の画像信号等について、簡易にその表示形式を変更することができる。【選択図】        図３
2006135410.tif 000002
【特許請求の範囲】
【請求項１】
ユーザの好みに応じて、映像情報に含まれる複数の映像形態のうちから選択可能な表示形式を選択して表示することが可能な映像表示装置であって、
指示に応答して２種類の表示形式のいずれか一方を表示可能な表示部と、
前記複数の映像形態において表示される映像信号を前記表示部に出力して表示させるための制御部とを備え、
前記複数の映像形態は、予め前記２種類の表示形式のうちのいずれか一方に対応付けられ、
前記制御部は、前記表示形式を変更する際、前記複数の映像形態のうちユーザの好みに応じて選択されたの一つの映像形態に従って前記２種類の表示形式のうちのいずれか一方に対応付けられた対応する表示形式となるように前記表示部に対して変更指示し、
前記映像情報には、１６対９のアスペクト比を有する映像形態および４対３のアスペクト比を有する映像形態を含み、
前記４対３のアスペクト比を有する映像形態は、１６対９のアスペクト比を有する映像形態をレターボックスあるいはパンスキャン変換処理施したものであり、
前記表示部は、前記制御部からの指示に応じて、１６対９のアスペクト比を有する表示形式と、４対３のアスペクト比を有する表示形式とのいずれか一方に設定され、
前記映像表示装置は、携帯用機器である、映像表示装置。
【請求項２】
ユーザの好みに応じて、映像情報に含まれる複数の映像形態のうちから選択可能な表示形式を選択して表示することが可能な映像表示装置であって、
指示に応答して２種類の表示形式のいずれか一方を表示可能な表示部と、
前記複数の映像形態において表示される映像信号を前記表示部に出力して表示させるための制御部とを備え、
前記複数の映像形態は、予め前記２種類の表示形式のうちのいずれか一方に対応付けられ、
前記制御部は、前記表示形式を変更する際、前記複数の映像形態のうちユーザの好みに応じて選択されたの一つの映像形態に従って前記２種類の表示形式のうちのいずれか一方に対応付けられた対応する表示形式となるように前記表示部に対して変更指示する、映像表示装置。
【請求項３】
前記映像情報には、１６対９のアスペクト比を有する映像形態および４対３のアスペクト比を有する映像形態を含む、請求項２記載の映像表示装置。
【請求項４】
前記４対３のアスペクト比を有する映像形態は、１６対９のアスペクト比を有する映像形態をレターボックスあるいはパンスキャン変換処理施したものである、請求項３記載の映像表示装置。
【請求項５】
前記表示部は、前記制御部からの指示に応じて、１６対９のアスペクト比を有する表示形式と、４対３のアスペクト比を有する表示形式とのいずれか一方に設定される、請求項２記載の映像表示装置。
【請求項６】
前記映像表示装置は、携帯用機器である、請求項２記載の映像表示装置。
【発明の詳細な説明】
【技術分野】
【０００１】
本発明は、光ディスク等の記録媒体に記録されているデータを再生し表示する映像表示装置に関する。
【背景技術】
【０００２】
従来、家庭用のテレビの表示画面（スクリーンサイズ）は、その横と縦のサイズ比が４対３となっていた。したがってこのテレビで表示される映像（ビデオデータ）もこのスクリーンサイズに対応したものであった。
【０００３】
一方、近年、映像ソフトとしてのビデオデータの多様化と高画質化により、たとえば映画館で上映される映画のスクリーンのように横に長い画面をできる限りそのまま表示したいという考えから、種々のアスペクト比の画像信号（たとえば４対３（４：３）信号、１６対９（１６：９）信号、４対３（４：３）パンスキャン信号、４対３（４：３）レターボックス信号等）を含む映像情報がテレビ放送として放送され、あるいは記録媒体に記録されて販売され、またはレンタルされている。たとえば、ＤＶＤ（Digital Versatile Disc）等の記録媒体においては、そこに記録されている映像情報としてはテレビサイズである４対３信号の他にシネマサイズである１６対９信号などのさまざまなサイズのソフトが混在している。
【０００４】
これらをテレビで再生する場合、一般的にＤＶＤプレーヤなどの再生装置にはその表示画面であるスクリーンサイズを切換える手段はなく、ユーザは、テレビ側の表示画面切換機能により切換えられるようになっている。
【０００５】
具体的には、ユーザがこれらの種々のアスペクト比の画像信号をテレビの表示画面で表示し、視聴する際には、種々のアスペクト比に対応して適切な表示画面を表示するように設定（総括してアスペクト比設定とも称する）する必要がある。
【０００６】
特開平９−１８８３３号公報および特開２００４−１８６８０３号公報においては、記録媒体に記録されている種々のアスペクト比の画像信号に関する映像情報および予め設定された表示装置の画面情報に基づいて、適切な表示画面の選択が可能な表示装置に関する開示がなされている。また、特開２００３−１６９２６９号公報においては、受信したデジタル放送のアスペクト比に関する情報に基づいて表示装置であるテレビに対して実際に出力する映像と表示するアスペクト比に関する情報とが不一致となるようなユーザが混乱する場合に対処するための方式が開示されている。
【０００７】
図６は、アスペクト比が４対３である４対３レターボックス信号の画像信号を１６対９信号の画像信号に変更する場合を説明する図である。
【０００８】
一例として、アスペクト比が４対３である４対３レターボックス信号の画像信号をテレビの表示画面で表示している場合に、１６対９信号の画像信号を表示する場合について説明する。なお、ここでは、４対３レターボックス信号を表示しているテレビのスクリーンサイズは、４対３のアスペクト比を有するものとする（以下、スモールサイズとも称する）。一方、１６対９信号の画像信号を表示しているテレビのスクリーンサイズは、１６対９のアスペクト比を有するものとする（以下、フルサイズとも称する）。
【０００９】
図７は、一般的にユーザがテレビ等の表示画面を見ながら、テレビに対して入力される画像信号の映像形態であるアスペクト比を変更する場合について説明する図である。
【００１０】
図７（ａ）を参照して、ユーザは、コマンドを入力（リモコン等のボタンを入力）することによりセットアップ（各種設定）画面を表示する。なお、一般的に再生機器等には予めセットアップに必要な機能を表示するプログラムが内蔵されており、コマンドの入力に応答してユーザが表示画面を見ながら各種設定を実行することできるような機能が設けられている。本例においては、テレビの表示画面に映し出される画像信号の映像形態であるアスペクト比を設定する項目（テレビアスペクト）と、テレビのスクリーンサイズを設定する項目（スクリーンサイズ）とが一例として示されている。その他、図示しないが他のセットアップに必要な項目が表示され、選択可能な状態となっているものとする。
【００１１】
図７（ｂ）は、テレビアスペクトの画面が選択された場合を説明する図である。
【００１２】
図７（ｂ）に示されるように、テレビアスペクトの設定画面においては、一例として４対３レターボックス、４対３パンスキャン、１６対９（ワイド）の３種類の画像信号の映像形態であるアスペクト比の中から設定可能な状態が示されている。
【００１３】
図７（ｃ）に示されるように、ユーザは、１６対９信号の画像信号をテレビの表示画面で表示する場合には１６対９（ワイド）を選択する必要がある。そうすると、図７（ｄ）に示されるように図６で説明された４対３レターボックスの画面中央に表示された円形の図形は、１６対９信号のアスペクト比の画像信号がスモールサイズの画面に表示されるため縦長の形状で表示されることになる。これは、本来の見え方とは異なる。
【００１４】
次に、再び図７（ｅ）に示されるようにユーザは、コマンドを入力（リモコン等のボタンを入力）することによりセットアップ（各種設定）画面を表示する。そして、図７（ｆ）に示されるように、今度は、スクリーンサイズを設定する。
【００１５】
図７（ｆ）において、スクリーンサイズについては、アスペクト比が４対３の画像信号に対応する表示画面であるスモールサイズと、アスペクト比が１６対９の画像信号に対応する表示画面であるフルサイズを選択することが可能である。ここで、フルサイズを選択すると図７（ｇ）に示されるように再生画面は、アスペクト比が１６対９信号の画像信号について、全画面（ワイド画面）に表示されることになる。すなわち本来の適切な見え方となる。
【００１６】
このように、たとえば記録媒体に４対３レターボックス信号および１６対９信号のアスペクト比を有する画像信号が含まれる場合に、ユーザがその再生画面を変更したい場合にはそのテレビアスペクトの設定とともにスクリーンサイズを設定することが必要になる。すなわち、コマンドにより２回の選択動作を実行することが必要となる。
【特許文献１】特開平９−１８８３３号公報
【特許文献２】特開２００３−１６９２６９号公報
【特許文献３】特開２００４−１８６８０３号公報
【発明の開示】
【発明が解決しようとする課題】
【００１７】
一方、近年においては、表示機器と再生機器とが一体となったポータブルＤＶＤプレーヤが注目されている。
【００１８】
このポータブルＤＶＤプレーヤ等においては、一体であるがために簡易な操作でセットアップ等の各種設定を設定あるいは変更することが望まれる。
【００１９】
しかしながら、このようなポータブルＤＶＤプレーヤ等においても、再生中の画像信号の切換時においては、従来と同様、テレビアスペクトの設定と、スクリーンサイズの設定の２段階の動作を踏む必要があり、操作が面倒であるという問題があった。
【００２０】
本発明は、上記のような問題を解決するためになされたものであって、再生中の画像信号について、簡易にその表示形式を変更することが可能な映像表示装置を提供することを目的とする。
【課題を解決するための手段】
【００２１】
本発明に係る映像表示装置は、ユーザの好みに応じて、映像情報に含まれる複数の映像形態のうちから選択可能な表示形式を選択して表示することが可能な映像表示装置であって、指示に応答して２種類の表示形式のいずれか一方を表示可能な表示部と、複数の映像形態において表示される映像信号を表示部に出力して表示させるための制御部とを備え、複数の映像形態は、予め２種類の表示形式のうちのいずれか一方に対応付けられ、制御部は、表示形式を変更する際、複数の映像形態のうちユーザの好みに応じて選択されたの一つの映像形態に従って２種類の表示形式のうちのいずれか一方に対応付けられた対応する表示形式となるように表示部に対して変更指示し、映像情報には、１６対９のアスペクト比を有する映像形態および４対３のアスペクト比を有する映像形態を含み、４対３のアスペクト比を有する映像形態は、１６対９のアスペクト比を有する映像形態をレターボックスあるいはパンスキャン変換処理施したものであり、表示部は、制御部からの指示に応じて、１６対９のアスペクト比を有する表示形式と、４対３のアスペクト比を有する表示形式とのいずれか一方に設定され、映像表示装置は、携帯用機器である。
【００２２】
本発明に係る映像表示装置は、ユーザの好みに応じて、映像情報に含まれる複数の映像形態のうちから選択可能な表示形式を選択して表示することが可能な映像表示装置であって、指示に応答して２種類の表示形式のいずれか一方を表示可能な表示部と、複数の映像形態において表示される映像信号を表示部に出力して表示させるための制御部とを備え、複数の映像形態は、予め２種類の表示形式のうちのいずれか一方に対応付けられ、制御部は、表示形式を変更する際、複数の映像形態のうちユーザの好みに応じて選択されたの一つの映像形態に従って２種類の表示形式のうちのいずれか一方に対応付けられた対応する表示形式となるように表示部に対して変更指示する。
【００２３】
好ましくは、映像情報には、１６対９のアスペクト比を有する映像形態および４対３のアスペクト比を有する映像形態を含む。
【００２４】
特に、４対３のアスペクト比を有する映像形態は、１６対９のアスペクト比を有する映像形態をレターボックスあるいはパンスキャン変換処理施したものである。
【００２５】
好ましくは、表示部は、制御部からの指示に応じて、１６対９のアスペクト比を有する表示形式と、４対３のアスペクト比を有する表示形式とのいずれか一方に設定される。
【００２６】
好ましくは、映像表示装置は、携帯用機器である。
【発明の効果】
【００２７】
本発明に係る映像表示装置は、複数の映像形態が予め２種類の表示形式のうちのいずれか一方に対応付けられている。したがって、ユーザの映像形態の選択に伴い表示形式も対応付けられた表示形式に変更されるため１回の選択動作で再生中の画像信号等について、簡易にその表示形式を変更することができる。
【発明を実施するための最良の形態】
【００２８】
以下、本発明の実施の形態について図面を参照しながら詳細に説明する。なお、図中同一または相当部分には同一符号を付し、その説明は繰返さない。
【００２９】
図１は、本発明の実施の形態に従う映像表示装置の概略ブロック図である。
【００３０】
図１を参照して、本発明の実施の形態に従う映像表示装置５０は、映像情報等が映し出される表示画面を有する表示部５と、ディスクドライブ部１５と、キー操作部２０と、制御部２５と、メモリ３０とを含む。ユーザは、キー操作部２０を操作することによって本体である映像表示装置５０を制御し、所望の動作を実行するように指示することができる。具体的には、ディスクドライブ部１５に対して挿入された光ディスク１から記録データである映像データ、音声データ等の映像情報を再生し、制御部２５により装置内で種々の変換処理が実行され、ビデオ信号および音声信号に変換されて表示部５に対して出力され、表示画面において記録された映像および音声が再生される。ここで、映像表示装置は、一例として携帯機器であるポータブルＤＶＤプレーヤを挙げられる。また、表示画面は一例として液晶スクリーンであるものとする。
【００３１】
ディスクドライブ部１５は、制御部２５からの指示に応答して光ディスク１に光ビームを照射して情報記録領域を検索し、記憶された映像データおよび音声データを読出して制御部２５に出力する。
【００３２】
メモリ３０は、映像表示装置５０を制御するための各種設定および変換処理等のプログラムや映像データおよび音声データの格納領域等として用いられる。
【００３３】
本例においては、映像信号として複数のアスペクト比の画像信号が記録媒体に記録されているものとする。より具体的には、１６対９の画像信号を含む映像情報を記録した記録媒体を対象とするものである。現在の規格においては、一般的に映像情報において、１６対９の画像信号が含まれる場合には、必ず４対３の画像信号が含まれている。すなわち、１６対９の画像信号が含まれる映像情報においては、いずれの表示画面（すなわち１６対９および４対３）にも対応できる画像信号が含まれていることになる。
【００３４】
したがって、本来的にユーザが表示画面を切換える際は、１６対９の画像信号が映像情報に含まれている場合であり、予め設定画面において画像信号と表示画面との対応付けをしておくなら簡易に表示画面の切換の際に選択動作を実行することができることになる。すなわち、１６対９の画像信号については、フルサイズの表示画面と予め対応付け、４対３のレターボックス信号およびパンスキャン信号についてはスモールサイズの表示画面と予め対応付ける。
【００３５】
ここで、パンスキャン信号とレターボックス信号とについて説明する。
【００３６】
パンスキャン信号とレターボックス信号とは、ともに１６対９のアスペクト比が記録されたビデオデータを４対３のスクリーンサイズすなわちスモールサイズで再生する場合における画面変換処理を施された信号である。たとえば１６対９のアスペクト比で記録されたビデオデータを従来の４対３のスクリーンサイズで再生すると、上述したように縦方向に伸びた映像として再生される。このように１６対９のビデオデータは、縦方向に伸びた画面として記録されており、一般的にスクイーズ（圧縮された）画面と呼んでいる。このスクイーズ画面を１６対９のスクリーンサイズで再生すると上述したように正常なアスペクト比でかつ画面一杯に表示される。
【００３７】
このようにアスペクト比が１６対９のビデオデータ（スクイーズ画面）をそのままアスペクト比が４対３のスクリーンサイズで再生表示すると縦方向に伸びた映像となり見づらい映像となる。それでこのスクイーズ画面のアスペクト比を正常に再生表示するための変換処理が施された信号をパンスキャン信号およびレターボックス信号と呼んでいる。
【００３８】
パンスキャン信号は、スクイーズ画面をアスペクト比が１６対９の表示画面で再生した画面からアスペクト比が４対３の画角を切取って再生表示するものである。この場合、本来持っている１画面分のビデオデータから一部分（両端）が欠落したものとなる。
【００３９】
レターボックス信号は、基本的には１６対９の画角全部を４対３の画角にアスペクト比が正常なままはめ込もうとする処理である。したがってパンスキャンで発生するビデオデータの一部欠落という現象は回避できるが、表示画面の上下に映像の表示されない黒帯の部分が生じることになる。
【００４０】
図２のフローチャート図を用いて、本発明の実施の形態に従う映像表示装置において、アスペクト比が異なる画像信号を別のアスペクト比の画像信号に変更して表示する場合について説明する。
【００４１】
図２を参照して、ユーザは、キー操作部２０を用いてコマンドを入力することによりセットアップ（各種設定）画面を表示する（ステップＳ１）。次に、テレビアスペクト比の設定をする（ステップＳ２）。そして、テレビアスペクト比の設定画面を表示し（ステップＳ３）、テレビアスペクト比の選択を実行する（ステップＳ４）。そして、この選択動作により、ユーザの好みにより所望のアスペクト比の画像信号を表示画面に表示することができる。すなわち、本発明の実施の形態に従う映像表示装置においては、上述したように予め設定画面において画像信号と表示画面との対応付けをしておくことにより１度の設定動作によりテレビアスペクト比の設定とともにスクリーンサイズの設定も実行するものである。これにより、テレビアスペクト比の設定と、スクリーンサイズの設定との２段階の設定動作を踏む必要がなく、再生中の画像信号について、簡易にその表示形式を変更することができる。
【００４２】
以下、本発明の実施の形態に従う表示形式の変更について詳細に説明する。
【００４３】
図３は、テレビアスペクト比の設定に従って、表示部５の表示画面で表示される画像信号を説明するフローチャート図である。
【００４４】
図３を参照して、テレビアスペクト比の設定により制御部２５に画面選択の変更動作が開始される（ステップＳＰ０）。まず、ＤＶＤの映像情報が１６対９の画像信号を含んでいるかどうかが判断される（ステップＳＰ１）。含まれている場合には、次のステップＳＰ２に進み、テレビアスペクト比が１６対９（ワイド）に設定されるかどうかが判定される。
【００４５】
そして、ステップＳＰ２において、テレビアスペクト比が１６対９（ワイド）に設定される場合には、対応付けられた１６対９（ワイド）本来のスクリーンサイズで表示される。たとえば表示画面の液晶サイズはフルサイズとなる（ステップＳＰ７）。
【００４６】
一方、ステップＳＰ２において、テレビアスペクト比が１６対９（ワイド）に設定されない場合には、ステップＳＰ４に進む。ここで、ステップＳＰ１において、ＤＶＤの映像情報が１６対９の画像信号を含んでいる場合には、上述したように４対３の画像信号が必ず含まれていることになる。すなわち、上述したように、映像情報の中には１６対９の画像信号を変換処理したパンスキャン信号あるいはレターボックス信号が含まれているためいずれか一方の表示形式で表示されることになる。
【００４７】
ステップＳＰ１において、ＤＶＤの映像情報が１６対９の画像信号を含んでいない場合においては、次のステップＳＰ３に進む。ステップＳＰ３においては、テレビアスペクト比が１６対９（ワイド）に設定されるかどうかが判断される。ここで、ＤＶＤの映像情報が１６対９の映像情報を含んでいない場合には、４対３の画像信号のみであるのでスクリーンサイズとしては、フルサイズで見るか、スモールサイズで見るかのいずれかになる。
【００４８】
ステップＳＰ３において、テレビアスペクト比が１６対９（ワイド）に設定される場合には、ＤＶＤの４対３の映像情報は、横長に表示される。たとえば表示画面の液晶サイズは、フルサイズとなる（ステップＳＰ８）。
【００４９】
一方、ステップＳＰ３において、テレビアスペクト比が１６対９（ワイド）に設定されない場合は、すなわち、スモールサイズで見る場合を選択したことになり、ＤＶＤの４対３の映像情報は、本来のサイズで表示される。たとえば表示画面の液晶サイズはスモールサイズとなる（ステップＳＰ１１）。この場合、ステップＳＰ３においては、後述するテレビアスペクトの選択画面においては、４対３レターボックスあるいは４対３パンスキャンを選択した場合となるが、いずれを選択した場合においてもＤＶＤの４対３の映像情報に基づいてスモールサイズで表示される。
【００５０】
ステップＳＰ４においては、テレビアスペクト比が４対３レターボックスもしくは（ｏｒ）４対３パンスキャンのいずれに設定されるかどうかが判断される。
【００５１】
４対３レターボックスに設定される場合にはステップＳＰ５に進み、ＤＶＤの映像情報が４対３レターボックスの画像信号を含んでいるかどうかが判断される。ステップＳＰ５において、ＤＶＤの映像情報が４対３レターボックスの画像信号を含んでいる場合には４対３レターボックス本来のサイズで表示される（ステップＳＰ９）。たとえば表示画面の液晶サイズはスモールサイズとなる。
【００５２】
一方、ステップＳＰ５においてＤＶＤの映像情報が４対３レターボックスの画像信号を含んでいない場合にはステップＳＰ１０に進み、残りの４対３パンスキャン本来のサイズで表示されることとなる（ステップＳＰ１０）。たとえば表示画面の液晶サイズはスモールサイズとなる。
【００５３】
ステップＳＰ４において、テレビアスペクト比が４対３パンスキャンに設定された場合には、ステップＳＰ６に進みＤＶＤの映像情報が４対３パンスキャンの画像信号を含んでいるかどうかが判断される。
【００５４】
ステップＳＰ６において、４対３パンスキャンの画像信号を含んでいる場合にはステップＳＰ１０に進む。
【００５５】
一方、ステップＳＰ６において、４対３パンスキャンの画像信号を含んでいない場合にはステップＳＰ５に進む。
【００５６】
したがって、本発明の実施の形態に従う変更方式としては、テレビアスペクト比を１６対９（ワイド）に設定するか否かにより、スクリーンサイズを一意に決めることができる。
【００５７】
図４は、図３のフローチャート図に従って表示されるＤＶＤの映像情報とテレビアスペクト比の設定との対応関係を説明する図である。
【００５８】
図４に示されるように縦方向には、テレビアスペクト比の設定項目が示されている。横方向には、ＤＶＤに記録されている映像情報の種々の項目が示されている。すなわち、本実施の形態に従う変更方式により１回の設定動作で一つの画面に設定することができる。
【００５９】
図５は、上記で説明した本発明の実施の形態に従う変更方式にしたがって、テレビアスペクト比を切換える場合の表示画面を説明する図である。
【００６０】
図５（ａ）において、上述したようにユーザは、コマンドを入力（リモコン等のボタンを入力）することによりセットアップ（各種設定）画面を表示する。本例においては、セットアップ画面において、テレビアスペクト比の設定項目のみが示されている。すなわち、従来のセットアップ画面と比較して、スクリーンサイズの項目は存在しない。
【００６１】
ここでテレビアスペクト比を設定すると、図５（ｂ）に示されるように４対３レターボックス、４対３パンスキャン、１６対９（ワイド）の３種類の設定項目が示される。なお、本例においては、映像情報は１６対９の画像信号を含むものとする。また、映像情報に１６対９の画像信号が含まれない場合には、上述したように４対３レターボックス、４対３パンスキャンの設定項目は表示されているが、いずれを選択した場合においても、通常の４対３の画像信号がスモールサイズで表示されるようにすることも可能である。
【００６２】
そして、図５（ｃ）において、１６対９（ワイド）を設定することにより、図５（ｄ）に示されるようにスクリーンサイズの変更をすることなく、１６対９本来の画像信号が表示されることになる。
【００６３】
すなわち本発明を実施の形態においてはテレビアスペクト比における１回の選択動作で本来の見え方となる１６対９ワイドの画像信号を表示することができる。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の実施の形態に従う映像表示装置の概略ブロック図である。
【図２】本発明の実施の形態に従う映像表示装置において、アスペクト比が異なる画像信号を別のアスペクト比の画像信号に変更して表示する場合について説明するフローチャート図である。
【図３】テレビアスペクト比の設定に従って、表示部５の表示画面で表示される画像信号を説明するフローチャート図である。
【図４】図３のフローチャート図に従って表示されるＤＶＤの映像情報とテレビアスペクト比の設定との対応関係を説明する図である。
【図５】本発明の実施の形態に従う変更方式にしたがって、テレビアスペクト比を切換える場合の表示画面を説明する図である。
【図６】アスペクト比が４対３である４対３レターボックス信号の画像信号を１６対９信号の画像信号に変更する場合を説明する図である。
【図７】一般的にユーザがテレビ等の表示画面を見ながら、テレビに対して入力される画像信号の映像形態であるアスペクト比を変更する場合について説明する図である。
【符号の説明】
【００６６】
１  光ディスク、５  表示部、１５  ディスクドライブ部、２０  キー操作部、２５  制御部、３０  メモリ、５０  映像表示装置。
【図１】
2006135410.tif 000003
【図２】
2006135410.tif 000004
【図３】
2006135410.tif 000005
【図４】
2006135410.tif 000006
【図５】
2006135410.tif 000007
【図６】
2006135410.tif 000008
【図７】
2006135410.tif 000009